(57)【要約】【課題】ドップラセンサを人体検知センサとして備え且つ洗浄タンクを備えたトイレ設備において、洗浄タンク内部で洗浄水の水位の昇降等を含む動きがあっても人体の動きと誤検知することがないようにする。【解決手段】便器本体の後部上側に洗浄タンク２０を設置するとともに、洗浄タンク２０の前側位置に人体検知センサとしてのドップラセンサ５４を前方に向けて配置し、ドップラセンサ５４による人体検知に基づき制御部において各種機器を動作制御するようになしたトイレ設備において、ドップラセンサ５４と洗浄タンク２０内部との間に電波の透過を遮断する電波遮断層６２を設ける。【選択図】        図２
2005090192.tif 000002
【特許請求の範囲】
【請求項１】
便器本体の後部上側に便器の洗浄水を貯える洗浄タンクを設置するとともに、該洗浄タンクの前側位置に人体検知センサとしてのドップラセンサを前方に向けて配置し、該ドップラセンサによる人体検知に基づき、制御部において各種機器を動作制御するようになしたトイレ設備において、
前記ドップラセンサから前記洗浄タンク内部に向けての電波の透過を遮断する電波遮断層を設けたことを特徴とするトイレ設備。
【請求項２】
請求項１において、前記電波遮断層は前記洗浄タンクに直接設けてあることを特徴とするトイレ設備。
【請求項３】
請求項１において、前記電波遮断層は前記ドップラセンサに且つその後面に直接設けてあることを特徴とするトイレ設備。
【請求項４】
便器本体の後部上側に便器の洗浄水を貯える洗浄タンクを設置するとともに、該洗浄タンクの前側位置に人体検知センサとしてのドップラセンサを前方に向けて配置し、該ドップラセンサによる人体検知に基づき、制御部において各種機器を動作制御するようになしたトイレ設備において、
便器洗浄に基づいて前記洗浄タンク内部の洗浄水の水位が変動する間、前記制御部において前記ドップラセンサによる検知を実質的に停止することを特徴とするトイレ設備。
【請求項５】
請求項４において、前記制御部は洗浄開始を表す信号の入力から前記洗浄タンク内が満水化したことを表す信号の入力までの間、前記ドップラセンサによる検知を実質的に停止することを特徴とするトイレ設備。
【請求項６】
請求項４において、前記制御部は洗浄開始を表す信号の入力から予め定めた設定時間を経過するまでの間、前記ドップラセンサによる検知を実質的に停止することを特徴とするトイレ設備。
【請求項７】
請求項４〜６の何れかにおいて、前記制御部において前記ドップラセンサを動作停止若しくは感度低下させ又は該ドップラセンサからの検知信号を無効とすることによって該ドップラセンサによる検知を実質的に停止することを特徴とするトイレ設備。
【発明の詳細な説明】
【技術分野】
【０００１】
この発明はドップラセンサを人体検知センサとして備えたトイレ設備に関し、特に便器の洗浄水を貯える洗浄タンクを備えたものに関する。
【背景技術】
【０００２】
従来より、トイレ設備において使用者の有無を人体検知センサで検知し、これに基づいて制御部により各種機器を動作制御することが広く行われている。
例えば使用者を検知することで便蓋を自動的に開いたり、使用後において使用者が検知エリアから離れることで洗浄水を自動的に流したり、便座や便蓋を自動的に閉じたりすることが行われている。
【０００３】
従来、かかるトイレ設備における人体検知センサとしては赤外線式センサが主として用いられており、使用者が検知エリアに入ったときに使用者によって反射される反射光の受光に基づいて使用者を検知するようにしていた。
【０００４】
しかしながらこの赤外線式センサの場合、反射光量の大小に基づいて使用者の有無を検知するものであることから、検知エリア内に使用者がいるかいないかを判別できるのみであり、使用者の細かな挙動については検知することができず、誤った検知に基づいて機器を誤動作させてしまうという場合も生じていた。
【０００５】
またこの赤外線式センサを用いる場合、所定の箇所に透光性の窓部を設けて、その窓部に臨むように赤外線式センサを埋設するといったことが必要であり、この場合その窓部によって美観が損われたり、或いは便器その他のデザインの自由度が制限されるといった問題があった。
【０００６】
このようなことから近年、トイレ設備において使用者検知のためにドップラセンサを用いることが提案されている（例えば下記特許文献１，特許文献２，特許文献３，特許文献４，特許文献５，特許文献６，特許文献７）。
ドップラセンサの場合、電波が透過する樹脂製品や木製品の内部にこれを隠蔽状態に設置しておくことが可能である。
【０００７】
ところでトイレ設備としては、便器本体の後部上側に便器の洗浄水を貯える洗浄タンクを設置し、便器洗浄の際に洗浄タンク内の洗浄水を便器本体側に落としてこれを便器本体内部で勢い良く流し、便器を洗浄する形式のものが広く用いられている。
【０００８】
しかしながら人体検知センサとしてドップラセンサを備えたものは、通常そのドップラセンサが便器に対して接近し又は離反する使用者を検知するように洗浄タンクの前側位置において前方に向けて配置されているものの、即ちドップラセンサからの送信波が前方に向けて放射されるように配置されているものの、ドップラセンサからの送信波（電波）は僅かながら後方にも放射されてしまい、その後方に放射された送信波と洗浄タンク内部で反射された反射波とによって洗浄タンク内部の動きをも拾ってしまう可能性があり問題となる。
【０００９】
即ち便器洗浄の際、洗浄タンク内部の洗浄水はその放出によって水位が下降し、またその後における給水によって水位が上昇する。
更にその水位の下降，上昇に伴って給水機構の動きが生ずる。例えばボールタップにおけるフロートが下降したり上昇したりし、更にはこれに伴ってボールタップにおける給水，止水を行うためのレバーが上，下動したりする。
これらの動きをドップラセンサが拾ってしまって人体の動きと誤検知し、これに基づいて制御部が各種機器を誤動作させてしまうことが危惧される。
【００１０】
従来のトイレ設備においてこのような問題点の存在は認識されておらず、従ってこれに対する対策も提案されていないのが実状である。
【００１１】
【特許文献１】特開２００１−３０５２２０号公報
【特許文献２】特開２００２−７１８２４号公報
【特許文献３】特開２００２−７０１１９号公報
【特許文献４】特開２００３−２１６７７号公報
【特許文献５】特開２００２−２８５６２４号公報
【特許文献６】特開２００１−３１１７７３号公報
【特許文献７】特開２００１−２３１７１６号公報
【発明の開示】
【発明が解決しようとする課題】
【００１２】
本発明のトイレ設備はこのような事情を背景とし、ドップラセンサを人体検知センサとして備え且つ洗浄タンクを備えたトイレ設備において、洗浄タンク内部で洗浄水の水位の昇降等を含む動きがあっても人体の動きと誤検知することがなく、従って各種機器を適正に動作制御することのできるトイレ設備を提供することを目的としてなされたものである。
【課題を解決するための手段】
【００１３】
而して請求項１のものは、便器本体の後部上側に便器の洗浄水を貯える洗浄タンクを設置するとともに、該洗浄タンクの前側位置に人体検知センサとしてのドップラセンサを前方に向けて配置し、該ドップラセンサによる人体検知に基づき、制御部において各種機器を動作制御するようになしたトイレ設備において、前記ドップラセンサから前記洗浄タンク内部に向けての電波の透過を遮断する電波遮断層を設けたことを特徴とする。
【００１４】
請求項２のものは、請求項１において、前記電波遮断層は前記洗浄タンクに直接設けてあることを特徴とする。
【００１５】
請求項３のものは、請求項１において、前記電波遮断層は前記ドップラセンサに且つその後面に直接設けてあることを特徴とする。
【００１６】
請求項４のものは、便器本体の後部上側に便器の洗浄水を貯える洗浄タンクを設置するとともに、該洗浄タンクの前側位置に人体検知センサとしてのドップラセンサを前方に向けて配置し、該ドップラセンサによる人体検知に基づき、制御部において各種機器を動作制御するようになしたトイレ設備において、便器洗浄に基づいて前記洗浄タンク内部の洗浄水の水位が変動する間、前記制御部において前記ドップラセンサによる検知を実質的に停止することを特徴とする。
【００１７】
請求項５のものは、請求項４において、前記制御部は洗浄開始を表す信号の入力から前記洗浄タンク内が満水化したことを表す信号の入力までの間、前記ドップラセンサによる検知を実質的に停止することを特徴とする。
【００１８】
請求項６のものは、請求項４において、前記制御部は洗浄開始を表す信号の入力から予め定めた設定時間を経過するまでの間、前記ドップラセンサによる検知を実質的に停止することを特徴とする。
【００１９】
請求項７のものは、請求項４〜６の何れかにおいて、前記制御部において前記ドップラセンサを動作停止若しくは感度低下させ又は該ドップラセンサからの検知信号を無効とすることによって該ドップラセンサによる検知を実質的に停止することを特徴とする。
【発明の作用・効果】
【００２０】
上記のように本発明は、洗浄タンクの前側位置に配置されたドップラセンサから洗浄タンク内部に向けての電波の透過を遮断する電波遮断層を設けたもので、本発明によれば、便器洗浄に際して洗浄タンク内部で洗浄水の水位の下降や上昇或いはボールタップ等の給水機構に動きが生じた場合においても、ドップラセンサがこの動きを拾ってしまって人体の動きと誤検知してしまうのを防止することができる。
これにより、ドップラセンサによる人体検知に基づいて各種機器を適正に動作制御することが可能となる。
【００２１】
この場合においてその電波遮断層は、ドップラセンサと洗浄タンクとの間の位置に配置しておくことができる。
或いはまたこの電波遮断層を洗浄タンクに直接設けておくことができる（請求項２）。
この場合において洗浄タンクに電波吸収材やシールド材（電波反射材）等の電波遮断材料を塗着することができる。また洗浄タンクを成型するときに電波遮断材料を同時成型することもできる。
これらにより簡単に電波遮断層を設けることが可能になる。
【００２２】
更にこれらの場合において電波遮断層は、少なくとも洗浄タンクの前面を覆うように設けておくことができる。
このようにすることによって、ドップラセンサから後向きに放射された電波が洗浄タンクの内部まで透過してしまって、その内部の動きを拾うのを防止できる。
【００２３】
但しこの電波遮断層は更に進んで洗浄タンクの側面，後面を含む外周面全体を覆うように設けておくことができる。
このようにすればより確実にドップラセンサと洗浄タンク内部との間での電波の行き来を防止することができる。
【００２４】
一方において上記電波遮断層は、ドップラセンサに且つその後面に直接設けておくこともできる（請求項３）。
ドップラセンサは電波の発生源であり、従ってこの請求項３によればその発生源において電波の後方への放射を防止できる。
この場合において電波遮断層は、センサケーシングの後面に設けておくことができる。
この場合センサケーシング等に上記電波遮断材料を塗着することができる。またセンサケーシングを成型するときに電波遮断材料を同時成型することもできる。
これらにより簡単に電波遮断層を設けることが可能になる。
【００２５】
次に請求項４は、便器洗浄に基づいて洗浄タンク内部の洗浄水の水位が変動する間、制御部においてドップラセンサによる検知を実質的に停止するようになしたものである。
このようにすることによっても便器洗浄に際して洗浄タンク内部の動きをドップラセンサが拾って、人体の動きと誤検知する問題を解決することができる。
【００２６】
尚、洗浄タンク内部のボールタップ等の給水機構は、洗浄水の放出による水位低下から水位が上昇して満水となった段階で動きが停止するため、水位が変動する間ドップラセンサによる検知を実質的に停止することによって、それら給水機構等の動きをドップラセンサが拾ってしまう問題も解決できる。
【００２７】
この場合において洗浄開始を表す信号の入力から洗浄タンク内が満水化したことを表す信号の入力までの間、ドップラセンサによる検知を停止するようになすことができる（請求項５）。
或いはまた洗浄開始を表す信号の入力から予め定めた設定時間を経過するまでの間、検知を停止するようになすこともできる（請求項６）。
洗浄水を放出し終わってから再び洗浄タンク内が満水化するまでの時間は予め分っているため、その間ドップラセンサによる検知を停止することによっても誤検知を防止できる。
またこのようにした場合、洗浄タンク内部の水位の変動ないし水位の停止をセンサ等にて検知する必要がなく、制御部における制御が容易となる。
【００２８】
これらの場合において、上記制御部においてドップラセンサを動作停止若しくは感度低下させ又はドップラセンサからの検知信号を無効とすることによってドップラセンサによる検知を実質的に停止するようになすことができる（請求項７）。
【発明を実施するための最良の形態】
【００２９】
次に本発明の実施形態を図面に基づいて詳しく説明する。
図１において、１０はトイレ室１２内のトイレ設備で、１４は便器本体、１６，１８はそれぞれ開閉可能な便座及び便蓋である。
便器本体１４の後部上側には、図２に示す便器の洗浄水を内部に貯える洗浄タンク２０が設置されている。
この洗浄タンク２０は、その外側からタンクカバー２２で覆われている。ここでタンクカバー２２は樹脂製とされている。
【００３０】
この例のトイレ設備１０は、洗浄ノズル２４から局部洗浄水をシャワー噴射して人体局部を洗浄する局部洗浄装置付きのもので、壁Ｗに各種機器、具体的には便蓋開閉モータ，便座開閉モータ，シャワーバルブ，便座ヒータ，脱臭ファン，温水ヒータ等の各種機器を遠隔操作するためのリモコン２６が取り付けられている。
このリモコン２６にはまた、図３に示す便器洗浄機構２５を動作させて便器洗浄を行うための洗浄スイッチ２６ａが備えられている。
【００３１】
図３に示しているように、洗浄タンク２０の底部には排水口２８が設けられており、この排水口２８が便器洗浄機構２５におけるフロート弁３０にて開閉されるようになっている。
フロート弁３０は、Ｌ字状の作用ロッド３２に対して鎖３４で連結されており、作用ロッド３２の回転動作によってこのフロート弁３０が持ち上げられるようになっている。
排水口２８は、このフロート弁３０が上方に持ち上げられることによって開放状態となり、洗浄タンク２０内部の洗浄水を下向きに放出させる。
【００３２】
この作用ロッド３２の先端部には、タンクケース２２の外側において手動操作用の操作レバー３６と駆動モータ３８とが連結されている。
作用ロッド３２は、操作レバー３６の手動回転操作によって、或いは駆動モータ３８による駆動によって回転動作させられる。
ここで駆動モータ３８と作用ロッド３２とは、ギヤを介して作動的に連結されている。即ち駆動モータ３８の駆動力がギヤを介して作用ロッド３２へと伝達される。
【００３３】
図３において、４０は洗浄タンク２０内部に設けられた給水機構としてのボールタップで、給水管４２を通じて送られて来た水を洗浄タンク２０内部に吐水する吐水口４４と、吐水口４４への水の供給・遮断をなす弁部４６と、洗浄タンク２０内部の水（洗浄水）の水位の昇降に連動して昇降するフロート４８とを有している。
【００３４】
フロート４８からはレバー５０が延び出していて、その先端が軸回りに回動可能とされている。
このレバー５０は、弁部４６における弁体と連結されており、フロート４８の下降によって弁体が開弁する一方、フロート４８の上昇によって弁体が閉弁するようになっている。
即ちフロート４８が下降することによって吐水口４４から給水が開始され、またフロート４８が上昇することによって吐水口４４からの給水が停止する。
尚５２はオーバーフロー管である。
【００３５】
この例のトイレ設備１０はまた、人体検知即ち使用者の検知に基づいて自動的に便蓋１８を開閉動作させ、また便座１６を閉動作させる機能を有するもので、タンクカバー２２の内側の隠れた位置に使用者の検知のためのドップラセンサ５４、及びドップラセンサ５４からの信号に基づいて各種機器の動作制御を行うマイコン５６を搭載した制御基板（制御部）５７が設けられている。
【００３６】
尚、ドップラセンサ５４は図２に示しているようにタンクカバー２２で囲まれた内側の洗浄タンク２０の前側位置に配置されており、且つこれから発する送信波（電波）のビームが便器から見て正面方向を向くようにその取付けの向きが選ばれている。
【００３７】
ドップラセンサ５４は、検知対象即ち使用者に対して送信波（１０ＧＨｚ程度の高周波の電波）を送り、そして使用者が移動しているときに使用者からの反射波の周波数が変化する、いわゆるドップラ効果に基づいて移動する使用者を検知するもので、図２に示しているようにセンサ素子５８と、センサ素子５８からの信号を処理する信号処理回路を搭載したセンサ基板５９と、樹脂製のセンサケーシング６０とを有している。
センサ素子５８とセンサ基板５９とはこのセンサケーシング６０内部に収容されている。
【００３８】
図２に示しているようにドップラセンサ５４はその送信波（電波）を前方に向けて放射するが、僅かながらその一部は後方にも放射される。
そこで本実施形態では、このドップラセンサ５４と洗浄タンク２０との間の位置において、ドップラセンサ５４から後向きに放射された送信波が洗浄タンク２０内部に透過するのを防止するための電波遮断層６２が設けられている。
【００３９】
ここで電波遮断層６２は、電波を吸収し或いはこれを反射することによって電波の透過を遮断する機能を有するもので薄板状をなしており、洗浄タンク２０の前面全体を僅かな隙間を隔てて覆うように配置されている。
【００４０】
尚この薄板状をなす電波遮断層６２は、図２中２点鎖線で示しているように更に洗浄タンク２０における側面，後面を含む外周面を全体的に覆うように設けておくこともできる。
このようにすれば、より確実にドップラセンサ５４と洗浄タンク２０内部との間での電波の行き来を遮断することができる。
【００４１】
尚この電波遮断層６２は所定の基材に導電性の金属箔を貼着したり、導電性の金属をめっき処理するなどして構成でき、或いは電波遮断層６２全体を導電性の金属等にてメッシュ状とすることで構成することができる。その他にフェライト等の電波吸収材をもって構成することも可能である。
この点については以下の電波遮断層６２についても同様である。
【００４２】
この実施形態によれば、便器洗浄に際して洗浄タンク２０内部で洗浄水の水位の下降や上昇、或いはボールタップ４０に動きが生じた場合においても、ドップラセンサ５４からの送信波（電波）が後方に放射されて洗浄タンク２０内部の動きを拾ってしまい、人体の動きと誤検知してしまうといったことを防止でき、これによりドップラセンサ５４の人体検知に基づいて各種機器を適正に動作させることができる。
【００４３】
図４は本発明の他の実施形態を示している。
この実施形態は、洗浄タンク２０の前面に電波吸収材やシールド材（電波反射材）を塗着するなどして、その洗浄タンク２０に直接その前面全体を覆うように電波遮断層６２を設けた例である。
尚、この実施形態においても図中２点鎖線で示しているように電波遮断層６２を洗浄タンク２０における側面，後面を含む外周面全体を覆うように設けることも可能である。
【００４４】
図５は本発明の更に他の実施形態を示したもので、ここでは電波遮断層６２を、ドップラセンサ５４におけるセンサケーシング６０の後面に直接且つこれを全面的に覆うように設けてある。
この実施形態によれば、送信波（電波）の発生源であるドップラセンサ５４において送信波の後方への放射を防止することができる。
【００４５】
尚ここでは電波遮断層６２をセンサケーシング６０の後面に設けているが、場合によってセンサケーシング６０内部においてセンサケーシング６０の後部を前面側から全体的に覆うようにこれを設けることも可能である。
或いはまた、前面を除いた外周面全体を覆うようにして電波遮断層６２をセンサケーシング６０の外面側又は内面側に設けることもできるし、更にはセンサケーシング６０全体（前面部分を除いた全体）を電波吸収材或いはシールド材（電波反射材）で構成するといったことも可能である。
【００４６】
次に図６及び図７は、便器洗浄に基づいて洗浄タンク２０内部の洗浄水の水位が変動する間、マイコン５６においてドップラセンサ５４による検知を実質的に停止するようになした例である。
【００４７】
具体的には、図６の例ではマイコン５６への洗浄開始の際の洗浄信号の入力によってドップラセンサ５４を動作停止させ、そして次にマイコン５６に洗浄タンク２０内が満水化したことを示す満水信号が入力されたとき、そのタイミングでドップラセンサ５４を再び動作開始させるようになしている。
【００４８】
ここで洗浄信号は、例えば使用者がリモコン２６における洗浄スイッチ２６ａを操作したときに発せられる信号をその洗浄信号となすこともできるし、或いはまた駆動モータ３８の駆動開始を信号として取り出し、これを洗浄信号となすことも可能である。
或いは作用ロッド３２の回転運動をセンサ検知してその信号を洗浄信号となすこともできるし、また洗浄タンク２０内部の洗浄水の水位の下降を液面センサ等で検知して信号として取り出し、これをもって洗浄信号となすこともできる。
その他様々な手段にて洗浄信号を取り出すことが可能である。
【００４９】
一方満水信号としては、洗浄タンク２０内部の洗浄水の水位を液面センサ等で検知して、その水面位置が満水位置となったときにこれを信号として取り出し、満水信号となすこともできるし、或いはまたボールタップ４０におけるフロート４８やレバー５０が上昇位置に来たときにこれをリミットスイッチや光電スイッチ等で検知し、これを信号として取り出して満水信号となすことも可能である。
その他様々な手段にて満水信号を取り出すことが可能である。
【００５０】
尚ここでは洗浄信号から満水信号までの間ドップラセンサ５４を動作停止させるようにしているが、この他ドップラセンサ５４の感度をその間低くしてドップラセンサ５４による検知を実質的に停止させるといったことも可能であるし、或いはまたドップラセンサ５４自体は通常通り動作させておく一方で、この間はドップラセンサ５４からの検知信号をマイコン５６側で無効とすることによりドップラセンサ５４による検知を実質的に停止させるといったことも可能である。
この点は以下の図７の実施形態においても同様である。
【００５１】
この実施形態においても、便器洗浄に際して洗浄タンク２０内部の動き（洗浄水の水位の下降や上昇或いはボールタップ４０の動き）をドップラセンサ５４が拾って、人体の動きと誤検知する問題を解決することができる。
【００５２】
次に図７の例は、洗浄信号によってドップラセンサ５４を動作停止させる点は上記図６の例と同様であるが、ここではその後予め定めてある設定時間Ｔ経過したところでドップラセンサ５４を再び動作開始させるようにしている。
この設定時間Ｔは、洗浄タンク２０内部の洗浄水が放出された後、再び満水化するまでに必要な時間に基づいて設定されている。
この場合においても、便器洗浄に際して洗浄タンク２０内部の動きをドップラセンサ５４が拾って、人体の動きと誤検知することが防止される。
【００５３】
以上本発明の実施形態について詳述したがこれらはあくまで一例示であり、本発明はその趣旨を逸脱しない範囲において種々変更を加えた形態で構成可能である。
【図面の簡単な説明】
【００５４】
【図１】本発明の一実施形態のトイレ設備を示す図である。
【図２】同実施形態における洗浄タンクと周辺部とを示す平面断面図である。
【図３】同実施形態における洗浄タンクの内部を示す正面断面図である。
【図４】本発明の他の実施形態における図２に相当する図である。
【図５】本発明の更に他の実施形態における図２に相当する図である。
【図６】本発明の更に他の実施形態の要部を示す図である。
【図７】本発明の更に他の実施形態の要部を示す図である。
【符号の説明】
【００５５】
１０  トイレ設備
１４  便器本体
２０  洗浄タンク
５４  ドップラセンサ
５６  マイコン
５７  制御基板（制御部）
６２  電波遮断層
Ｔ   設定時間
【図１】
2005090192.tif 000003
【図２】
2005090192.tif 000004
【図３】
2005090192.tif 000005
【図４】
2005090192.tif 000006
【図５】
2005090192.tif 000007
【図６】
2005090192.tif 000008
【図７】
2005090192.tif 000009